(57)【要約】  【課題】  【解決手段】  ハウジングと、このハウジングに接続された電気接点と、前記ハウジングに接続された外部シールドと、前記ハウジングの前側一部に沿って設置された少なくとも１つの内部シールドとを有する電気コネクタである。  前記内部シールドは、通常のＣ形で、ほぼ不変でかつ一定の前端と、前記前端から後方に延びる２本の脚とを有する。それぞれの脚は、前記ハウジング内に延びてその後端を前記ハウジングに取付ける部分を備えた後端を有する。前記内部シールドの前端は、前記外部シールドの前部に直接機械的に取付けられていない。【選択図】図８
2008507110.tif 000002
【特許請求の範囲】
【請求項１】
ハウジングと、このハウジングに接続された電気接点と、前記ハウジングに接続された外部シールドと、前記ハウジングの前側の一部に沿って設置された少なくとも１つの内部シールド内部シールドであって、この内部シールドは、  通常のＣ形で、ほぼ不変でかつ一定の前端およびこの前端から後方に延びる２本の脚を有し、その各脚は前記ハウジング内に延びて前記ハウジングにその後端を取付ける部分を備えた後端を有し、さらに前記内部シールドの前端は前記外部シールドの前部に機械的には取付けられていない内部シールドとを有することを特徴とする電気コネクタ。
【請求項２】
前記電気コネクタは、前記内部シールドのうちの３つを有し、さらに、前記ハウジングは、４つの共通の一連のバス（ＵＳＢ）プラグコネクタを受けるようにされることを特徴とする前記請求項１記載の電気コネクタ。
【請求項３】
前記２本の後方に伸びる脚は、それぞれその脚から外方に延びるカンチレバー式の偏位可能な接点アームを有することを特徴とする前記請求項１記載の電気コネクタ。
【請求項４】
前記接点アームは、前記脚の後端から前方に延びることを特徴とする前記請求項１記載の電気コネクタ。
【請求項５】
前記ハウジング内に延びる内部シールドの前記部分は、前記ハウジング内にグリップするためのあごを有することを特徴とする前記請求項１記載の電気コネクタ。
【請求項６】
前記ハウジング内に延びる内部シールドの前記部分は、内方に延びるあごを有することを特徴とする前記請求項１記載の電気コネクタ。
【請求項７】
前記脚のうちの第１の脚は、前記外部シールドにおける穴内に延びて電気的に、かつ機械的に前記内部シールドを外部シールドに接続する前記第１の脚の後端で横方向外方に突出するラッチ区域を有することを特徴とする前記請求項１記載の電気コネクタ。
【請求項８】
ハウジングと、このハウジングに接続された電気接点と、前記ハウジングに接続された外部シールドと、前記ハウジングの前側の一部に沿って設置された少なくとも１つの内部シールドであって、この内部シールドは、通常のＣ形の前端およびこの前端から後方に延びる２本の脚を有し、さらにこの各脚は、その後端を前記ハウジングに取付けるための設置区域を有する後端を有し、さらに前記脚のうちの第１の脚は、前記外部シールドにおける穴内に延びて電気的に、かつ機械的に前記内部シールドを外部シールドに接続する前記第１の脚の後端で横方向外方に突出するラッチ区域を有するものとを有することを特徴とする電気コネクタ。
【請求項９】
前記内部シールドの前端は、前記外部シールドの前部に直接機械的に取付けられていないことを特徴とする前記請求項８記載の電気コネクタ。      
【請求項１０】
前記電気コネクタは、前記内部シールドのうちの３つを有し、かつ、前記ハウジングは、４つの共通の一連のバス（ＵＳＢ）プラグコネクタを受けるようにされていることを特徴とする前記請求項８記載の電気コネクタ。
【請求項１１】
２本の後方に伸びる前記脚は、それぞれその脚から外方に延びるカンチレバー方式の偏位可能な接点アームを有することを特徴とする前記請求項８記載の電気コネクタ。
【請求項１２】
前記接点アームは、前記脚の後端から前方に延びることを特徴とする前記請求項１１記載の電気コネクタ。
【請求項１３】
前記内部シールドの一部は、前記ハウジング内に延び、さらに前記ハウジング内にグリップするための部分の対向する側にあごを有することを特徴とする前記請求項８記載の電気コネクタ。
【請求項１４】
前記ハウジング内に延びる内部シールドの一部は、内方に延びるあごを有することを特徴とする前記請求項８記載の電気コネクタ。
【請求項１５】
ハウジングと、このハウジングに接続された電気接点と、前記ハウジングに接続された外部シールドと、前記ハウジングの前側の一部に沿って設置された少なくとも１つの内部シールドであって、この内部シールドは、通常のＣ形で、ほぼ不変でかつ一定の前端およびこの前端から後方に延びる２本の脚を有し、このそれぞれの脚は、前記ハウジング内に延びて前記後端をハウジングに取付ける突起を具備する後端を有し、前記脚のうちの第１の脚は、前記外部シールドにおける穴内に延びて、前記内部シールドを外部シールドに電気的に、かつ機械的に接続する前記第１の脚の後端に横方向外方に突出するラッチ区域を備えるものとを有することを特徴とする電気コネクタ。
【請求項１６】
前記電気コネクタは、内部シールドのうちの３つを有し、さらに、前記ハウジングは、４つの共通の一連のバス（ＵＳＢ）プラグコネクタを受けるようにされることを特徴とする前記請求項１５記載の電気コネクタ。
【請求項１７】
前記２本の後方に延びる脚は、それぞれ、前記脚から外方に延びるカンチレバー式の偏位可能な接点アームを有することを特徴とする前記請求項１５記載の電気コネクタ。
【請求項１８】
前記接点アームは、前記脚の後端から前方に延びることを特徴とする前記請求項１７記載の電気コネクタ。
【請求項１９】
前記ハウジング内に延びる内部シールドの突起は、ハウジング内にグリップするためのあごを有することを特徴とする前記請求項１５記載の電気コネクタ。
【請求項２０】
前記ハウジング内に延びる内部シールドの突起は、内方に延びるあごを有することを特徴とする前記請求項１５記載の電気コネクタ。
【請求項２１】
前記内部シールドの前端は、前記外部シールドの前部に機械的に直接取付けられていないことを特徴とする前記請求項１５記載の電気コネクタ。
【請求項２２】
ハウジング内に電気接点を挿入することと、前記ハウジングの前側の一部に沿った内部シールドを設置することであって、前記内部シールドは、通常のＣ形の前端および前記前端から後方に延びる２本の脚を有するものと、前記ハウジングをこのハウジングに取付けられた内部シールドとともに、外部シールドの後端内に挿入することと、スナップロックラッチを、前記内部シールドの後端横方向側であって、前記外部シールドの横方向側における穴内に取付けて、前記内部シールドの前端を前記外部シールドの前端に直接取付けることなく、機械的にかつ電気的に前記内部シールドを外部シールドに取付けることとを有することを特徴とする電気コネクタを組立てる方法。
【発明の詳細な説明】
【技術分野】
【０００１】
この発明は、電気コネクタに係り、特には内部シールドを有する電気コネクタに関する。
【背景技術】
【０００２】
米国特許第６２７３７５７号は、ハウジングの後端内に設置された内部シールド接点を有するシールドされたユニバーサルシリアルバス（ＵＢＳ）電気コネクタを開示している。この内部シールド接点は、外部シールドの後端におけるスロット内に受入れられ、続いてこの外部シールド後端がハウジングの後端を覆って閉じているときにスロット内に捕捉される側方のウィングを有する。
【０００３】
この内部シールド接点は、ハウジングの正面に沿って延びていない。
【０００４】
米国特許第５７９７７７０号は、ハウジングの後端内に設置された内部シールドシェルを有するシールドされたユニバーサルシリアルバス（ＵＳＢ）の電気コネクタを開示している。この内部シェルは、ハウジングに設置されているだけで、外部シールドには設置されていない。外部シールドのスプリングフィンガは、内部シールドシェルと接触している。内部シールドシェルは、ハウジングの正面に沿って延びていない。
【０００５】
米国特許第６１３９３６７号は、ハウジングの正面および外部シールドの正面に設置された内部シェルを有するシールドされたＵＳＢの電気コネクタを開示している。内部シェルは、外部シェルがその外部のシェルの正面に対して内部シェルの正面を取付けるためにハウジングに取付けられた後に、ハウジングに取付けられる必要がある。
【発明の開示】
【発明が解決しようとする課題】
【０００６】
外部シールドの正面端に内部シールドの正面端を直接取付ける必要なしに、ハウジングの正面上に設置された内部シールドを有する、シールドされたＵＳＢの電気コネクタを提供する要望がある。外部シールドの正面端にＵＳＢ内部シールドの正面端を続いて取付ける必要なしに、外部シールドの後端内にＵＳＢ内部シールド(既にＵＳＢハウジングに取付けられている)を挿入する要望がある。
【課題を解決するための手段】
【０００７】
この発明の1つの様相によれば、電気コネクタは、ハウジングと、このハウジングに接続された電気接点と、前記ハウジングに接続された外部シールドと、
前記ハウジングの正面側の部分に沿って設置された少なくとも１つの内部シールドとを有して提供される。
【０００８】
内部シールドは、通常のＣ形でほぼ不変で一定の正面端と、この正面端から後方に延びる２本の脚とを有する。各脚は、ハウジング内に延びてその後端をハウジングに取付ける部分を有する後端を具備する。内部シールドの正面端は、外部シールドの正面に直接機械的に取付けられていない。
【０００９】
この発明の他の様相によれば、電気コネクタは、ハウジングと、このハウジングに接続された電気接点と、ハウジングに接続された外部シールドと、ハウジングの正面側の部分に沿って設置された少なくとも１つの内部シールドとを含んで提供される。内部シールドは、通常のＣ形の正面端と、この正面端から後方に延びる２本の脚とを有する。各脚は、ハウジングに後端を取付けるための設置区域を有する後端を具備する。この脚の第１のものは、電気的に、かつ機械的に内部シールドを外部シールドに接続するために、外部シールドにおける穴内に延びる前記第１の脚の後端において側部外方に突出するラッチ区域を有する。    
この発明の他の様相によれば、電気コネクタは、ハウジングと、このハウジングに接続された電気接点と、ハウジングに接続された外部シールドと、ハウジングの正面側の部分に沿って設置された少なくとも１つの内部シールドとを含んで提供される。この内部シールドは、通常のＣ形であって、不変でほぼ一定の正面端およびこの正面端から後方に延びる２本の脚を有する。各脚は、このハウジング内に延びてこのハウジングに後方端を取付ける突起を有する後方端を有する。この脚の第１のものは、電気的にかつ機械的に内部シールドを外部シールドに接続するために外部シールドにおける穴内に延びる第１の脚の後方端において側部外方に突出するラッチ区域を有する。
【００１０】
この発明の１方法によれば、電気コネクタを組立てる方法は、電気接点をハウジング内に挿入することと、内部シールドであって、その内部シールドは通常のＣ形の前端および前記正面端から後方に延びる２本の脚を有するものをそのハウジングの正面側の部分に沿って設置することと、前記ハウジングを、    このハウジングに取付けられた内部シールドとともに、外部シールドの後端内に挿入することと、内部シールドの後端側方側において、機械的に、かつ電気的に外部シールドの正面端に内部シールドの正面端を直接取付けることなしに、外部シールドに内部シールドを取付けるために、外部シールドの側方側の穴内にスナップロックラッチを取付けることとを含んで具備される。
【００１１】
先行する様相およびこの発明の他の特徴は、添付図面に関して得られ、次の記述で説明される。
【発明を実施するための最良の形態】
【００１２】
図１を参照して、この発明の特徴を具体化する電気コネクタ１０の斜視図が示されている。この発明は、図面に示される典型的な実施例に関して記述されるけれども、この発明が実施例の多くの代りの形式で具体化することができることが理解されるに違いない。さらに、部品または材料のいかなる適切な寸法、形、またはタイプをも使用することができる。
【００１３】
図２−７は、コネクタ１０の全６側の正面および平面図を示す。このコネクタ１０は、印刷回路基板のような電子部品に接続されるようにされる底端２６を有する。コネクタ１０は、複数の個別のＵＳＢプラグコネクタ(図示せず)を受けるようにされている正面側２８を有する。図示された実施例において、コネクタ１０は、通常の積層構造における４つのＵＳＢプラグコネクタを受けるようにされている。しかしながら、この発明の特徴は、他のタイプの電気コネクタに使用することができ、また、図示された垂直の積層構造に代るものとして、またはこれに加えて、相互に隣接して位置されたＵＳＢプラグ受け領域を有する複合ＵＳＢソケット電気コネクタとともに使用することができる。例えば、この発明の特徴は、２つまたはそれ以上（Ｘ）のＵＳＢプラグ受け領域（２×２、または２×３、または２×４等のような)の２つの並んだカラムを有する２×Ｘ  ＵＳＢ電気コネクタに使用できる。 
さらに図８を参照して、電気コネクタ１０は、通常、ハウジング１２と、電気接点１４と、外部シールド１６と、内部シールド１８を有する。ハウジング１２は、好ましくは、一体の成型プラスチックまたはポリマー部材である。しかしながら、代りの実施例においては、ハウジングは、１部材以上の部材で構成することができる。ハウジング１２は、通常、主要区域２０と、接点支持棚２２、内部支持棚２４を有する。図１０−１６は、ハウジング１２の全６つの斜視、平面、側面図を示している。電気接点１４の底端は、主要区域２０の底端から外方に延びる。主要区域２０はさらに、穴を有する。この穴は、主要区域を通って、接点支持棚２２の底側に延びている。接点支持棚２２は、電気接点１４の上部脚が位置する接点溝またはチャネルを有する。電気接点１４の偏位可能な接点区域３０は、接点支持棚２２の底側から下方へ延びる。接点区域３０の前端は、接点支持棚２２の部分に対して予荷重することができる。この接点は、好ましくは、主要区域２０における穴と主要区域の底側との間のハウジングの後部分に自由に浮いている。接点１４の底端は、ハウジングの後部分における接点と印刷回路基板との間の仲介の装置なしに、印刷回路基板に直接つながることができる。代りの実施例においてあらゆる適切なタイプのハウジングが設けられる。さらに、あらゆる適切なタイプの電気接点が設けられる。
【００１４】
さらに、図９を参照して、外部シールド１６が取付けられる前の電気コネクタ１０の半組立の斜視図が、図示されている。支持棚２２、２４は、通常のカンチレバー方式で、主要区域２０から前方に延びている。この実施例においては、ハウジング１２は、４つの接点支持棚２２と３つの内部シールド支持棚２４とを有する。３つの上部ＵＳＢプラグ受け領域３２は、前記上部３つの接点支持棚２２と３つの内部シールド支持棚２４との間のスペースによって形成される。底部ＵＳＢプラグ受け領域３２は、底部接点支持棚２２と外部シールド１６の底部側との間のスペースによって形成される。
【００１５】
図１７は、内部シールド１８のうちの1つの斜視図を示している。図１８−２３は、内部シールドの全６側面の正面および平面図を示している。内部シールド１８は、好ましくは、図示された形に打抜き形成されるフラットシートメタルで構成される。内部シールド１８は、通常、前端３４とこの前端３４から後方に延びる２つの脚３６、３７とを有する。前端３４は、通常のＣ形のほぼ不変で、かつ、一定の形を有する。この実施例においては、前端３４の前面はほぼ平坦である。しかしながら、代りの実施例においては、その前端は、湾曲している。他の実施例においては、前端の前面の形は、不変ではなく、一定ではない。その代りに、前端の前面は、先行技術におけるような、１つ、またはそれ以上のスプリングを有する。各脚３６、３７は、後端４０を有する。この後端４０は、それぞれ、後方への突出部４２を形成する部分を有する。各突出部４２は、図示された実施例において、側方の反対の側面におけるあご４４を有する。
【００１６】
ハウジング１２は、その中に突出部４２を受けるようにされる穴４６(図９参照)を有する。穴４６は、主要な区域２０を有する内部シールド支持棚２４の頂部および底部連結部に位置している。突出部４２は、ハウジングの主要な区域の正面垂直壁区域における穴を通って延びる角を形成している。あご４４は、ハウジング１２内に握持してハウジング１２を有する内部シールド１８を固定的に保持するようにされている。このように、ハウジング１２に対して脚３６、３７の後端を取付けるための設置区域を形成する。突出部４２は、ハウジング１２の後端を過ぎて延びることなく、外部シールド１６と電気的接続をなさない。
【００１７】
頂部および底部脚３６、３７は、さらに、接点領域５０を有する弾力的に偏位可能なアーム４８を有する。偏位可能なアーム４８は、脚３６、３７の後端４０から前方に延びる。接点領域５０は、外方に、そして上方および下方に延びる。内部シールド支持棚２４の頂部および底部側は、偏位可能なアーム４８が凹所内に偏位することができるような凹所を有する。前端３４および脚３６、３７は、内部シールド支持棚２４の前端上にスライドするために、かつ支持棚２４の前端をカバーするために、寸法どりされ、形づくられる。
【００１８】
上部脚３６は、ラッチ区域５２を有する。代りの実施例において、下部脚は、ラッチ区域を有し、あるいは、上部脚および下部脚の両方が、ラッチ区域を有する。このラッチ区域５２は、上部脚３６の側方側から横方向外方に延びる。
【００１９】
ラッチ区域５２は、前部傾斜路表面５４および後部ラッチ表面５６を備えた通常のスナップロックラッチ構成を有する。ラッチ区域５２は、外部シールド１６の側方側の穴５８内にラッチするようにされる（図１および８参照）。
【００２０】
代りの実施例において、外部シールドに取付く内部シールドの後端におけるあらゆる適切なタイプのラッチシステムを提供することができる。内部シールドの幅は、また、好ましくは、内部シールドの側方側が外部シールドの側方側壁の内方側と電気的な表面接触をなすような外部シールドの側方側壁間の距離幅と同一である。しかしながら、この要求は設けられない。他の代りの実施例においては、内部シールドのあらゆる適切な形状も設けることができる。好ましくは、外部シールドがハウジングに接続される前に、内部シールドがハウジングに取付けられ、また、外部シールドに対する内部シールドの接続は、複数の追加の接続ステップを要求しない。
【００２１】
図２４は、外部シールド１６の斜視図を示している。図２５−３０は、外部シールド１６の６側すべての側面、および平面図を示している。外部シールド１６は、好ましくは、図示された形状に打抜き、成形されるシートメタル部材を有する。外部シールド１６は、中心を含みる‥‥図９に示されるハウジング／接点／内部シールド半組立を受けるように寸法どりされ、形づくられる中央開口領域６０を有する。
【００２２】
外部シールド１６の前側は、ほぼ開口している。外部シールド１６の後側は、ほぼ開口している。しかしながら、代りの実施例においては、外部シールド１６の一部分は、ハウジング／接点／内部シールド半組立が外部シールド１６内に挿入された後に、開口した後側に折り重なるようにされる。シールド１６の底側は、ハウジング１２の底の一部分が、それを通って突出することができるようにされる開口区域６２を有する。シールド１６の底側は、また、印刷回路基板のような別の部材に、外部シールド１６を機械的に取付けるための電気接点組立６４を有し、外部シールド１６をその電子部品の接地に電的に接続する。
【００２３】
頂側および底側と、外部シールド１６の側方側とは、内方に突出する偏位可能な接点アーム６６、６８を有する。外部シールド１６の側方側は、また、頂部３つの側方接点アーム６６より下方にラッチ穴５８を有する。代りの実施例において、外部シールドのあらゆる適切な寸法および形状が具備できるが、外部シールドは、好ましくは、内部シールドの後部側方側に機械的かつ電気的に接続するための手段を有する。
【００２４】
電気コネクタ１０を組立てる好ましい方法において、電気接点１４および内部シールド１８は、ハウジング１２に取付けられて、図９に示されるような半組立を形成する。この半組立が形成された後、それから、その半組立は、外部シールド１６の後部側を通って挿入される。この半組立は、外部シールド１６内に挿入されて、ラッチ区域５２は、外部シールド１６の側方側が外方に偏位し、次いで、ラッチ区域５２が穴５８整列するときに、そのホームポジションへすばやく復帰するようになっている。したがって、ラッチ区域５２および穴５８は、内部シールド１８と外部シールド１６の間のスナップロック接続を形成して、部材間の機械的かつ電気的な接続を提供する。内部シールド１８は、また、２つの突起４２によって、ハウジング１２の主要区分２０に機械的に取付けられているので、外部シールド１６に対するラッチ区域５２の機械的な接続は、また、ハウジング１２を内部シールド１８によって外部シールド１６に機械的に取付ける。
【００２５】
この実施例において、内部シールド１８の前端は、外部シールド１６の前端に直接接続されない。これは、図９に示される半組立が、外部シールド１６内に比較的容易に挿入され、かつ、広範な追加のステップなしに外部シールドと接続されて、最終的な完成した電気コネクタを形成することができるものである。このことは、前部から挿入される内部シェルと、後部から挿入されるハウジングと、変形して内部シェルの前部を外部シェルに接続する内部シェルの前部における舌部とを必要とする米国特許第６１３９３６７号に記述されたＵＳＢコネクタの組立てよりも速く、かつ、はるかに容易である。
【００２６】
今度は、図３１を参照して、内部シールド７０の代り実施例の斜視図が、示されている。図３２−３７は、図３１に示される内部シールド７０の側面および平面図を示している。内部シールド７０は、後部組立て区域突起７２、７３を除いては図１７−２３に示されている内部シールド１８とほぼ同一である。
【００２７】
したがって、同一の参照番号が、両実施例に共通する特徴用の両内部シールド７０、１８用に使用される。内部シールド７０は、好ましくは、図示された形に打抜かれ、成形されるフラットシートメタル部材からなる。内部シールド７０は、通常、前端３４と、この前端３４から後方に延びる２脚とを有する。この前端３４は、通常のＣ形で、ほぼ不変の、かつ一定の形状を有する。この実施例においては、前端３４の前部は、ほぼ平坦である。しかしながら、代りの実施例においては、前端が曲がっていることもできる。それぞれ脚３６、３７は、後端４０を有する。後端４０は、それぞれ、後方の突起７２、７３を形成する部分を有する。
【００２８】
図示された実施例における突起７２、７３は、対向する側面にあご４４を有しない。その代りに、図３８に見られるように、上部脚突起７２は、内方に延びる槍またはあご７４を有する。低部脚突起位７３は、穴７６を有する。ハウジング１２は、そのなかに突起７２、７３を受けるようにされている穴４６（図９参照）を有する。この穴４６は、主要区域２０を有する内部シールド支持棚２４の頂部および底部連結点に位置している。突起７２、７３は、ハウジング１２の後端を過ぎては延びず、外部シールド１６と電気的な接続をなさない。
【００２９】
２つの突起７２、７３は、ハウジングの主要区域２０の穴４６内に挿入されるようにされている。あご７４は、ハウジング１２内に貫通して、ハウジング１２を有する内部シールド７０を保持するようにされる。ハウジング１２は、穴７６内に延びることができる低部脚突起７３を受ける穴４６内に突起を有する。
【００３０】
これは、また、ハウジング１２を有する内部シールド７０を保持することができる。
【００３１】
頂部および底部脚３６、３７は、また、接点領域５０を有する弾性的に偏位可能なアーム４８を有する。この偏位可能なアーム４８は、脚３６、３７の後端４０から前方に延びる。内部シールド支持棚２４の頂部および底部側は、偏位可能なアーム４８が凹所内に偏位することを可能にする凹所を有する。前端３４および脚３６、３７は、内部シールド支持棚２４の前端上に滑るように寸法どりされ、形づくられ、かつ、支持棚２４の前部をカバーする。
【００３２】
上部脚３６は、ラッチ区域５２を有する。代りの実施例においては、低部脚は、ラッチ区域を有することができ、または、上部および低部脚の両方が、ラッチ区域を有することができる。ラッチ区域５２は、上部脚３６の側方側から横方向外方に延びる。ラッチ区域５２は、前部傾斜路表面５４および後部ラッチ表面５６を有する通常のスナップロックラッチ構成を有する。ラッチ区域５２は、外部シールド１６の側方側の穴５８内にラッチするようにされている（図１および８参照）。
【００３３】
図３９は、ハウジング８０の代りの実施例における後部側面図を示している。
【００３４】
図４０−４５は、図３９に示されるハウジング８０の側面および平面図を示している。ハウジング８０は、後側を除いて、ハウジング１２とほぼ同一である。
【００３５】
したがって、同一の参照番号が、両方の実施例に共通する特徴用の両方のハウジング８０および１２に使用されている。
【００３６】
ハウジング８０は、好ましくは、一体的に形成されたプラスチック、またはポリマー部材である。しかしながら、代りの実施例においては、ハウジングは、一部材以上で構成することができる。ハウジング８０は、通常、主要区域２０と、接点支持棚と、内部シールド支持棚とを有する。この主要区域２０は、電気接点１４の縦断面を収容するようにされている比較的に開いた後部側８２を有する。電気接点１４の底端は、主要区域２０の底端から外方に延びる。この
主要区域２０は、さらに穴８４を有する。穴８４は、主要区域を通って、接点支持棚２２の底側に延びる。接点支持棚２２は、電気接点１４の上部脚が位置する接点溝またはチャネル８６を有する。電気接点１４の偏位可能な接点区域３０は、接点支持棚２２の底側から下方に延びている。接点区域３０の前端は、接点支持棚２２の部分に対して予荷重することができる。ハウジング８０は、内部シールドの突起を受けるための穴４６を有する。この実施例において、ハウジング８０の後部側終了８２は、さらに縦方向のリブ８８を有する。この
リブ８８は、ハウジング８８を強化し、かつ堅固にしている。リブ８８は、さらに相互から電気接点１４の列のうちの少なくともいくつかを分離することができる。
【００３７】
上に注記されたように、この発明の特徴は、２つまたはそれ以上（Ｘ）のＵＳＢプラグ受け領域（２バイ２や、２バイ３や、２バイ４その他のような）の２つ並んだ列を有する２バイＸのＵＳＢ電気コネクタに使用することができる。
【００３８】
内部シールドはハウジングに堅固に固定して取付けられているので、外部シールドに対する内部シールドの固定した取付を備える必要はない。そして、それらは、互いに関連して移動することができるが、好ましくは、相互に電気的な接続を維持することができる。したがって、この発明は、よりよい許容差およびより容易な組立てを考慮に入れて、外部シールドの前部に内部シールドの前端が直接接続される必要がないことを可能にすることができる。さらに、内部シールド（前端を閉塞し、頂部および底部脚をほぼ閉塞した）のブロック状、またはクリップ状の形は、なおそのスタック内の信号接点の群間の優れたシールドを提供する。内部シールドのクリップ状の形は、さらにハウジング上において内部シールドを取付けて保持するのを支持棚２４（２本の脚３６、３７の間の）上における内部シールドのクランプを供与することを支援することができる。
【００３９】
図４６および４７を参照して、電気コネクタの代りの実施例が示される。この実施例において、電気コネクタ９０は、外部シールド９２を除いて、電気コネクタ１０と同一である。外部シールド９２は、第１の部材９４および第２の部材９６を有する。この第１および第２の部材は、両者とも電気的に導体材料からなり、互いに電気的に接続される。第１の部材９４は、ハウジング１２の頂部側および２つの側方側をカバーしている。第１の部材９４は、さらにハンダ尾部９８を有する。第１の部材９４の後部側は、第２部材９６をそこに受けるようにされる開口１００を有する。したがって、第２の部材９６は、ハウジング１２に取付けられた後、第１の部材９４に取付けることができる。代りの実施例において、外部シールドは、２つ以上のシールド部材を有することができる。
【００４０】
先行する記述は、単にこの発明の例証であることは理解されるべきである。発明から外れることなしに当業者によって様々な代案および改造を考案することができる。したがって、この発明は、付属の請求項の範囲以内にあるような代案、改良および変形をすべて包含するように意図されている。
【図面の簡単な説明】
【００４１】
【図１】この発明の特徴を具体化する電気コネクタの斜視図。
【図２】図１に示される電気コネクタの正面図。
【図３】図１に示される電気コネクタの平面図。
【図４】図１に示される電気コネクタの底面図。
【図５】図１に示される電気コネクタの左側面図。
【図６】図１に示される電気コネクタの右側面図。
【図７】図１に示される電気コネクタの後側面図。
【図８】図１に示される電気コネクタの分解斜視図。
【図９】図１に示される電気コネクタの部品の半組立の斜視図。
【図１０】図８および９に示されるハウジングの正面図。
【図１１】図１０に示されるハウジングの平面図。
【図１２】図１０に示されるハウジングの底面図。
【図１３】図１０に示されるハウジングの左側面図。
【図１４】図１０に示されるハウジングの右側面図。
【図１５】図１０に示されるハウジングの後側面図。
【図１６】図１０に示されるハウジングの頂、前、右側斜視図。
【図１７】図８および９に示される内部シールドの１つの斜視図。
【図１８】図１７に示される内部シールドの正面図。
【図１９】図１７に示される内部シールドの平面図。
【図２０】図１７に示される内部シールドの底面図。
【図２１】図１７に示される内部シールドの左側面図。
【図２２】図１７に示される内部シールドの右側面図。
【図２３】図１７に示される内部シールドの後側面図。
【図２４】図１および８に示される外部シールドの透視図。
【図２５】図２４に示される外部シールドの正面図。
【図２６】図２４に示される外部シールドの平面図。
【図２７】図２４に示される外部シールドの底面図。
【図２８】図２４に示される外部シールドの左側面図。
【図２９】図２４に示される外部シールドの右側面図。
【図３０】図２４に示される外部シールドの後側面図。
【図３１】図１７に示される内部シールドの代りの実施例の斜視図。
【図３２】図３１に示される内部シールドの正面図。
【図３３】図３１に示される内部シールドの平面図。
【図３４】図３１に示される内部シールドの底面図。
【図３５】図３１に示される内部シールドの左側面図。
【図３６】図３１に示される内部シールドの右側面図。
【図３７】図３１に示される内部シールドの後側面図。
【図３８】図３１に示される内部シールドの後端突出部の１つの拡大側面図。
【図３９】図１０に示されるハウジングの代りの実施例の後側面図。
【図４０】図３９に示されるハウジングの正面図。
【図４１】図３９に示されるハウジングの平面図。
【図４２】図３９に示されるハウジングの底面図。
【図４３】図３９に示されるハウジングの左側面図。
【図４４】図３９に示されるハウジングの右側面図。
【図４５】図４０に示されるハウジングの後側面図。
【図４６】この発明の代りの実施例の後側を示す斜視図。
【図４７】例証目的のためのコネクタの残部から移された後部シールドを有する図４６に示されるコネクタの一部分解斜視図。
【図１】
2008507110.tif 000003
【図２】
2008507110.tif 000004
【図３】
2008507110.tif 000005
【図４】
2008507110.tif 000006
【図５】
2008507110.tif 000007
【図６】
2008507110.tif 000008
【図７】
2008507110.tif 000009
【図８】
2008507110.tif 000010
【図９】
2008507110.tif 000011
【図１０】
2008507110.tif 000012
【図１１】
2008507110.tif 000013
【図１２】
2008507110.tif 000014
【図１３】
2008507110.tif 000015
【図１４】
2008507110.tif 000016
【図１５】
2008507110.tif 000017
【図１６】
2008507110.tif 000018
【図１７】
2008507110.tif 000019
【図１８】
2008507110.tif 000020
【図１９】
2008507110.tif 000021
【図２０】
2008507110.tif 000022
【図２１】
2008507110.tif 000023
【図２２】
2008507110.tif 000024
【図２３】
2008507110.tif 000025
【図２４】
2008507110.tif 000026
【図２５】
2008507110.tif 000027
【図２６】
2008507110.tif 000028
【図２７】
2008507110.tif 000029
【図２８】
2008507110.tif 000030
【図２９】
2008507110.tif 000031
【図３０】
2008507110.tif 000032
【図３１】
2008507110.tif 000033
【図３２】
2008507110.tif 000034
【図３３】
2008507110.tif 000035
【図３４】
2008507110.tif 000036
【図３５】
2008507110.tif 000037
【図３６】
2008507110.tif 000038
【図３７】
2008507110.tif 000039
【図３８】
2008507110.tif 000040
【図３９】
2008507110.tif 000041
【図４０】
2008507110.tif 000042
【図４１】
2008507110.tif 000043
【図４２】
2008507110.tif 000044
【図４３】
2008507110.tif 000045
【図４４】
2008507110.tif 000046
【図４５】
2008507110.tif 000047
【図４６】
2008507110.tif 000048
【図４７】
2008507110.tif 000049
【国際調査報告】
2008507110.tif 000050